(57)【要約】    【課題】  救急患者を安楽に運び載せることができ、その患者の寝た姿勢のみならず、凭れた姿勢でも確実に便利良くＸ線撮影し得るストレッチャーを提供する。    【解決手段】  台車（Ｓ）上へ平行リンク運動するリフト機構（Ｕ）を介して昇降自在に支架された水平な昇降ラック（Ｒ）と、これに並列状態として搭載された前後一対の患者支持デッキ（ＦＤ）（ＲＤ）と、その両患者支持デッキの枠内を前後方向へ移動できるカセットホルダー用スライドトレー（Ｔ）と、そのトレーの枠内へ横方向から抜き差し自在に装填されるフィルムカセットホルダー（Ｈ）とから成り、前側支持デッキに対して後側支持デッキをリクライニングできるように枢支連結すると共に、上記スライドトレーに付属するコンストンバネ（１３４）の後端部を、後側支持デッキの後端部へ係脱自在に係止させて、吊り下げ使用することもできるように定めた。【選択図】  図１
2005144070.tif 000002
【特許請求の範囲】
【請求項１】
キャスター（Ｃ）のブレーキ機構（Ｂ）を備えた台車（Ｓ）と、その台車（Ｓ）上へ平行リンク運動するリフト機構（Ｕ）を介して昇降自在に支架された水平な昇降ラック（Ｒ）と、その昇降ラック（Ｒ）上へ並列状態に搭載された前後一対の患者支持デッキ（ＦＤ）（ＲＤ）と、その両患者支持デッキ（ＦＤ）（ＲＤ）の互いに合致連通する枠内を前後方向へ移動できるように格納設置されたカセットホルダー用スライドトレー（Ｔ）と、そのスライドトレー（Ｔ）の枠内へ横方向から抜き差し自在に差し込み装填使用されるＸ線撮影用フィルムカセット（Ｍ）のホルダー（Ｈ）とから成り、
上記前側支持デッキ（ＦＤ）を昇降ラック（Ｒ）の上面に固着一体化する一方、その前側支持デッキ（ＦＤ）に対して上記後側支持デッキ（ＲＤ）を気圧シリンダー（１０６）の作動により、一定の回動角度範囲（γ）だけリクライニングさせ得るように枢支連結し、
上記スライドトレー（Ｔ）に付属するコンストンバネ（１３４）を、その後側支持デッキ（ＲＤ）の後端部へ係脱自在に係止させることにより、上記前側支持デッキ（ＦＤ）に対してリクライニングされた後側支持デッキ（ＲＤ）の上端部から、上記スライドトレー（Ｔ）を吊り下げ状態に保つことができるように定めたことを特徴とするＸ線撮影可能なストレッチャー。
【請求項２】
前側支持デッキ（ＦＤ）の上面に取り付けたアクリル樹脂板のベッド（７０）と、後側支持デッキ（ＲＤ）の同じく上面に取り付けたアクリル樹脂板のバックレスト（９７）との継ぎ目を、互いに平行な一定角度（β）の後上がり傾斜面としてカットすると共に、
その両患者支持デッキ（ＦＤ）（ＲＤ）を全体的な水平のベッド状態に保った時、互いに密着することとなる弾性膜（７２）（９９）を上記ベッド（７０）とバックレスト（９７）との傾斜カット面に各々貼り付けたことを特徴とする請求項１記載のＸ線撮影可能なストレッチャー。
【請求項３】
前後一対の患者支持デッキ（ＦＤ）（ＲＤ）を互いに向かい合う平面視のほぼコ字状に屈曲形成された縁取りフレーム（６２）（６３）（７９）（８０）の上下一対と、その相互間に垂立する複数のスペーサー（６４）（８１）とから、一定のスライドトレー用格納間隔（ｄ）を保つ平台型に各々枠組み一体化して、
その両患者支持デッキ（ＦＤ）（ＲＤ）の上側縁取りフレーム（６２）（７９）同志を、サイド連結プレート（１０１）と水平な支点ピン（１０４）との左右一対づつにより枢支連結する一方、
上記両患者支持デッキ（ＦＤ）（ＲＤ）の下側縁取りフレーム（６３）（８０）同志を、気圧シリンダー（１０６）により枢支連結すると共に、
その気圧シリンダー（１０６）の圧力解放用遠隔作動レバー（８５）を上記後側支持デッキ（ＲＤ）における下側縁取りフレーム（８０）の後端部へ枢着して、
その遠隔作動レバー（８５）の回動操作により上記気圧シリンダー（１０６）内の圧力が解放され、その回動操作手を離せば後側支持デッキ（ＲＤ）のリクライニング状態が自づと固定維持されるように定めたことを特徴とする請求項１記載のＸ線撮影可能なストレッチャー。
【請求項４】
前後一対の患者支持デッキ（ＦＤ）（ＲＤ）を互いに向かい合う平面視のほぼコ字状に屈曲形成された縁取りフレーム（６２）（６３）（７９）（８０）の上下一対と、その相互間に垂立する複数のスペーサー（６４）（８１）とから、一定のスライドトレー用格納間隔（ｄ）を保つ平台型に各々枠組み一体化して、
その上側縁取りフレーム（６２）（７９）に左右一対づつの平行なスライドガイドレール（６８）（９５）とマグネット用吸着プレート（６９）（９６）とを固着する一方、
上記スライドガイドレール（６８）（９５）と係合しつつ両患者支持デッキ（ＦＤ）（ＲＤ）の前後方向へ移動するカセットホルダー用スライドトレー（Ｔ）に、上記吸着プレート（６９）（９６）と吸着し得る左右一対のマグネット（１４１）を取り付けることにより、そのスライドトレー（Ｔ）を位置決め固定できるように定めたことを特徴とする請求項１記載のＸ線撮影可能なストレッチャー。
【請求項５】
水平な昇降ラック（Ｒ）のリフト機構（Ｕ）を前後一対づつ合計４個の平行な回動リフトアーム（５５ｆ）（５５ｒ）と、その昇降ラック（Ｒ）と平行な前後方向への進退ロッド（５４）とから平行リンク運動機構に形作り、
上記後側回動リフトアーム（５５ｒ）の中途高さ位置を固定横架するベアリング受け軸（５６）の中間部に、ベアリング（５７）を遊転自在に嵌め付けて、
そのベアリング（５７）を台車（Ｓ）の対応的な中間部へ据え付けた油圧ジャッキ（Ｊ）のトップブラケット（４１）により、昇降作動させ得るように定めたことを特徴とする請求項１記載のＸ線撮影可能なストレッチャー。
【請求項６】
前後一対の患者支持デッキ（ＦＤ）（ＲＤ）を互いに向かい合う平面視のほぼコ字状に屈曲形成された縁取りフレーム（６２）（６３）（７９）（８０）の上下一対と、その相互間に垂立する複数のスペーサー（６４）（８１）とから、一定のスライドトレー用格納間隔（ｄ）を保つ平台型に各々枠組み一体化して、
その前側支持デッキ（ＦＤ）における下側縁取りフレーム（６３）の前端部と、後側支持デッキ（ＲＤ）における同じく下側縁取りフレーム（８０）の後端部へ、他物との衝突緩衝用クッションカバー（６７）（９４）を各々固着一体化すると共に、
両患者支持デッキ（ＦＤ）（ＲＤ）の上側縁取りフレーム（６２）（７９）に患者防護柵となる手摺り枠（７４）の左右一対づつを、その何れも起伏的な回動操作自在に枢着したことを特徴とする請求項１記載のＸ線撮影可能なストレッチャー。
【請求項７】
Ｘ線撮影用フィルムカセット（Ｍ）のホルダー（Ｈ）をそのスライドトレー（Ｔ）よりも小さな相似形状のフィルムカセット受け面板（１４３）と、フィルムカセット（Ｍ）の前面受け持ち金具（１４９）並びに左右一対のサイド挟持金具（１５２）とから形作り、
上記フィルムカセット受け面板（１４３）の平行な前後両辺を、スライドトレー（Ｔ）に付属する前後一対のスライドガイドレール（１２０）（１２１）へ嵌まり合う一対のスライドフック（１４４）（１４５）として折り曲げると共に、
上記フィルムカセット（Ｍ）の前面受け持ち金具（１４９）をフィルムカセット受け面板（１４３）へ、前後方向への調整自在に係止させる一方、
同じくフィルムカセット（Ｍ）の両サイド挟持金具（１５２）を上記フィルムカセット受け面板（１４３）へ嵌め込み、且つ一挙同時に相互の接近方向又は離反方向へスライドし得るように、ほぼＺ字型の屈折リンクアーム（１５７）を介して枢支連結したことを特徴とする請求項１記載のＸ線撮影可能なストレッチャー。
【請求項８】
左右一対の平行なサイドフレーム（１１９）とその両サイドフレーム（１１９）の中間部に横架する前後一対の平行なカセットホルダー用スライドガイドレール（１２０）（１２１）とから、患者支持デッキ（ＦＤ）（ＲＤ）の枠内に納まる大きさ・平面輪郭形状として枠組み一体化し、
上記サイドフレーム（１１９）の上端部には水平な支軸（１２３）の廻りに遊転する前後一対づつ合計４個の走行ローラー（１２２ｆ）（１２２ｒ）と、垂直な支点ピン（１２６）の廻りに遊転する前後一対づつ合計４個の左右振れ止めローラー（１２４ｆ）（１２４ｒ）とを各々枢着する一方、
同じくサイドフレーム（１１９）の下端部からは左右一対の移動操作用把手（１３０）を外向き一体的に張り出し、
上記後側スライドガイドレール（１２１）から内向き連続的に折り曲げ延長させた折曲げ延長片（１２１ａ）へ、左右一対の回動ドラム（１３２）を水平な支点ピン（１３３）により枢着して、
その回動ドラム（１３２）に各々巻き付けられたコンストンバネ（１３４）の先端部を連結アーム（１３６）により一体化すると共に、
その連結アーム（１３６）の中間部から外向き一体的に張り出す吊り環（１３９）を、後側支持デッキ（ＲＤ）の後端部に付属する対応的な吊り下げフック（９０）へ、係脱自在に係止させることにより、
前側支持デッキ（ＦＤ）に対してリクライニングされる後側支持デッキ（ＲＤ）の吊り下げフック（９０）から、上記コンストンバネ（１３４）を介して吊り下げ使用できるように定めたことを特徴とするＸ線撮影可能なストレッチャーのフィルムカセットホルダー用スライドトレー。
【発明の詳細な説明】
【技術分野】
【０００１】
本発明は病院における救急患者の担送のみならず、その患者のＸ線撮影も便利良く行なえるストレッチャーと、そのためのフィルムカセットホルダー用スライドトレーに関する。
【背景技術】
【０００２】
この種の病院用ストレッチャーとして、特表２００１−５１００６３号が提案されており、これではベッド状態の水平な患者支持面（マットレス）（２２）に寝た姿勢の患者をＸ線撮影できるほか、その患者支持面（２２）の頭部（９０）を立て起して、これに凭れた姿勢の患者をＸ線撮影することもできるようになっている点で、本発明に最も近似する公知技術であると考えられる。
【特許文献１】特表２００１−５１００６３号公報
【特許文献２】特表２００３−５０１１１５号公報
【発明の開示】
【発明が解決しようとする課題】
【０００３】
ところが、上記特表２００１−５１００６３号発明の構成によれば、ベッド状態の水平な患者支持面（２２）へＸ線カセット（３２）を保持するＸ線トレー（３４）と、そのＸ線トレー（３４）を昇降させるための平行四辺形リンケージ（４０）から成る昇降機構（３６）のほかに、背凭れ状態として立て起された患者支持面（２２）の頭部（９０）へ、やはりＸ線カセット（３２）を保持する図８〜１４のような特別のカセットホルダーも必要であり、その機構上著しく複雑・高価となるばかりでなく、使用に当っても各別の面倒な操作を余儀なくされることになる。
【０００４】
又、患者支持面（２２）の地上高さを高低調整できることについては記載されておらず、その一定不変と考えられため、患者支持面（２２）を低く下降させて、救急患者を安楽に運び載せたり、或いは患者支持面（２２）を病院の既製ベッドと同じ高さに上昇させて、その患者支持面（２２）から既製ベッドへ患者を円滑に移載させたりすることができず、その作業上不便であって、重労働を要することになる。
【０００５】
本発明はこのような課題の改良を企図しており、そのためにＸ線撮影可能なストレッチャーとして、キャスターのブレーキ機構を備えた台車と、その台車上へ平行リンク運動するリフト機構を介して昇降自在に支架された水平な昇降ラックと、その昇降ラック上へ並列状態に搭載された前後一対の患者支持デッキと、その両患者支持デッキの互いに合致連通する枠内を前後方向へ移動できるように格納設置されたカセットホルダー用スライドトレーと、そのスライドトレーの枠内へ横方向から抜き差し自在に差し込み装填使用されるＸ線撮影用フィルムカセットのホルダーとから成り、
【０００６】
上記前側支持デッキを昇降ラックの上面に固着一体化する一方、その前側支持デッキに対して上記後側支持デッキを気圧シリンダーの作動により、一定の回動角度範囲だけリクライニングさせ得るように枢支連結し、
【０００７】
上記スライドトレーに付属するコンストンバネを、その後側支持デッキの後端部へ係脱自在に係止させることにより、上記前側支持デッキに対してリクライニングされた後側支持デッキの上端部から、上記スライドトレーを吊り下げ状態に保つことができるように定めたことを特徴とし、
【０００８】
又、上記フィルムカセットホルダー用スライドトレーの構成として、左右一対の平行なサイドフレームとその両サイドフレームの中間部に横架する前後一対の平行なカセットホルダー用スライドガイドレールとから、患者支持デッキの枠内に納まる大きさ・平面輪郭形状として枠組み一体化し、
【０００９】
上記サイドフレームの上端部には水平な支軸の廻りに遊転する前後一対づつ合計４個の走行ローラーと、垂直な支点ピンの廻りに遊転する前後一対づつ合計４個の左右振れ止めローラーとを各々枢着する一方、
【００１０】
同じくサイドフレームの下端部からは左右一対の移動操作用把手を外向き一体的に張り出し、
【００１１】
上記後側スライドガイドレールから内向き連続的に折り曲げ延長させた折曲げ延長片へ、左右一対の回動ドラムを水平な支点ピンにより枢着して、
【００１２】
その回動ドラムに各々巻き付けられたコンストンバネの先端部を連結アームにより一体化すると共に、
【００１３】
その連結アームの中間部から外向き一体的に張り出す吊り環を、後側支持デッキの後端部に付属する対応的な吊り下げフックへ、係脱自在に係止させることにより、
【００１４】
前側支持デッキに対してリクライニングされる後側支持デッキの吊り下げフックから、上記コンストンバネを介して吊り下げ使用できるように定めたことを特徴とするものである。
【発明の効果】
【００１５】
本発明のストレッチャーとして具体化された上記構成によれば、前後一対の患者支持デッキを全体の水平なベッド状態として使用する時、Ｘ線撮影用フィルムカセットのホルダーが差し込み装填されたスライドトレーを、その両患者支持デッキの互いに合致連通する枠内に沿って、前後方向へ自由に移動させることができるため、その両患者支持デッキ上に寝た患者の目的部位を、確実に便利良くＸ線撮影し得る効果があり、その操作性に著しく優れる。
【００１６】
又、上記患者支持デッキを搭載した昇降ラックは、例えば油圧ジャッキを駆動源とするリフト機構によって、その水平状態を保ったまま昇降できるようになっているため、その患者支持デッキに対する救急患者の運び載せや、これから病院の既製ベッドに対する患者の移載などをすばやく安楽に行なえる効果がある。
【００１７】
殊更、水平な固定設置状態にある前側支持デッキに対して、後側支持デッキを立て起しリクライニングさせることができ、その場合にも上記Ｘ線撮影用フィルムカセットのホルダーと、そのスライドトレーはそのまま使用して、そのスライドトレーに付属しているコンストンバネを、立て起しリクライニングされた後側支持デッキの上端部へ、係脱自在に係止させることにより、上記スライドトレーとこれに差し込み装填されたフィルムカセットホルダーを吊り下げ状態に保て、しかもコンストンバネにより希望の設置高さに自づと位置決め固定できるため、後側支持デッキへ凭れた姿勢の患者をやはり正確に便利良くＸ線撮影し得る効果もある。
【００１８】
他方、本発明に係るストレッチャーのフィルムカセットホルダー用スライドトレーでは、上記した構成から明白なように、患者支持デッキの枠内に納まる大きさ・輪郭形状として、カセットホルダー用の平行なスライドガイドレールを具備しているため、その内部へ横方向からカセットホルダーを便利良く抜き差し装填することができ、しかも合計４個づつの走行ローラーと左右振れ止めローラーにより、患者支持デッキ側のスライドガイドレールに沿って、前後方向へ円滑に移動操作し得る効果がある。
【００１９】
又、左右一対の回動ドラムに各々巻き付けられたコンストンバネの先端部は、その左右相互間に介在する剛性な連結アームによって一体化されており、その中間部から外向きに張り出す吊り環が、後側支持デッキの対応的な中間部に付属する吊り下げフックへ、係脱自在に係止使用されるようになっているため、その使用状態の安定性に優れるほか、上記係止を解いても、両患者支持デッキ側のスライドガイドレールに沿う前後方向への移動につき、支障を与えない効果もある。
【発明を実施するための最良の形態】
【００２０】
以下、図面に基いて本発明の具体的構成を詳述すると、その患者のＸ線撮影可能なストレッチャーは概略全体として、図１〜７のようなブレーキ機構（Ｂ）付きの台車（Ｓ）と、その台車（Ｓ）上へ平行リンク運動するリフト機構（Ｕ）を介して、昇降自在に支架された水平な昇降ラック（Ｒ）と、更にその昇降ラック（Ｒ）上へ搭載されたリクライニング可能な前後一対の患者支持デッキ（ＦＤ）（ＲＤ）とから成り、しかもその水平なベッド状態の使用時において合致連通することとなる両患者支持デッキ（ＦＤ）（ＲＤ）の枠内に、Ｘ線撮影用フィルムカセット（Ｍ）のホルダー（Ｈ）がそのスライドトレー（Ｔ）を介して、前後方向へのスライド自在に格納設置されたものである。
【００２１】
先ず、上記台車（Ｓ）は左右一対のサイドフレーム（１）とその相互間に横架する複数のクロスフレーム（２）とから、図１〜４のような前後方向へ延在する平面視のほぼ長方形（例えば約1,３３０mm×約４８６mmの大きさ）に枠組み一体化されているほか、その各サイドフレーム（１）の前後両端部には一対の軸受マスト（３ｆ）（３ｒ）が垂直に固着されている。
【００２２】
茲に、軸受マスト（３ｆ）（３ｒ）は上記サイドフレーム（１）やクロスフレーム（２）と同様な角鋼管から成り、その各個にはキャスター（Ｃ）のステム（４）が下方から差し込まれている。（５）はその各軸受マスト（３ｆ）（３ｒ）からキャスター（Ｃ）のステム（４）へ螺入締結された左右一対の抜け止めボルトであり、これを抜き出すことによって、キャスター（Ｃ）を交換することもできる。
【００２３】
上記キャスター（Ｃ）は何れも病院用にふさわしい静粛な双輪式であって、その合計４個を付属のブレーキ機構（Ｂ）により、一挙同時に制動又は解除することができるようになっている。
【００２４】
即ち、その各キャスター（Ｃ）のブレーキ機構（Ｂ）を抽出して示した図９〜１４において、（６）は上記ステム（４）の上端部へ脱落不能に内蔵設置された回動カムであり、その中心の角孔と嵌合する角型芯軸（７ｆ）（７ｒ）が図６、９のように、上記前側軸受マスト（３ｆ）同志の左右相互間と後側軸受マスト（３ｒ）同志の左右相互間へ、各々水平に貫通横架されている。
【００２５】
（８）は上記回動カム（６）のカム面に切り欠かれた凹溝、（９）はその凹溝（８）と係合するストッパーであり、これによって回動カム（６）の回動角度（α）が例えば図１３、１４のような約６０度の一定範囲に規制されている。他方、同じくステム（４）の下端部には第１係合歯車（１０）が固着されている。
【００２６】
（１１）は上記ステム（４）の軸線上に沿って垂立された昇降ロッドであり、その上端部がバネ収納室（１２）内の押し上げ付勢用リターンバネ（圧縮コイルバネ）（１３）を介して、上記回動カム（６）のカム面へ常時押し当てられていると共に、同じく昇降ロッド（１１）の下端部は調整ボルト（１４）の上端部と接当している。
【００２７】
又、（１５）は上記ステム（４）の下部にベアリング（１６）を介して嵌合された旋回フレームであり、その旋回フレーム（１５）へ左右一対の車輪（１７）を取り付ける支軸（１８）の外周面には、第２係合歯車（１９）が固着されている。
【００２８】
そして、上記旋回フレーム（１５）の内部には図１１のような制動アーム（２０）と旋回制動プレート（２１）とが、その共通の支軸（２２）を介して取り付けられており、その制動アーム（２０）の上端部に上記調整ボルト（１４）が螺合締結されているほか、同じく制動アーム（２０）の下端部には図１２のような車輪制動プレート（２３）も取り付けられており、その車輪制動プレート（２３）の先端部（２３ａ）が第２係合歯車（１９）の歯部（１９ａ）と係脱自在に係止して、車輪（１７）の回転を制動するようになっている。（２４）はその車輪制動プレート（２３）のリターンバネ（圧縮コイルバネ）である。
【００２９】
他方、上記旋回制動プレート（２１）の先端部は第１係合歯車（１０）の歯部（１０ａ）と係脱自在に係止して、上記旋回フレーム（１５）の旋回を制動するようになっている。（２５）はその旋回制動プレート（２１）と制動アーム（２０）との共通する支軸（２２）に巻き付けられたリターンバネ（蔓巻きバネ）、（２６）は同じく旋回制動プレート（２１）のキックバネである。
【００３０】
更に、（２７ｆ）（２７ｒ）は上記角型芯軸（７ｆ）（７ｒ）の各個へ通し込まれた鞘管であり、図４、９のような複数の押圧セットボルト（２８）によって、芯軸（７ｆ）（７ｒ）と一体回動し得るように組み付けられている。そして、その前側鞘管（２７ｆ）と後側鞘管（２７ｒ）との対応的な中途部から一体的に張り出す回動リンクピース（２９ｆ）（２９ｒ）同志が、前後方向への進退ロッド（３０）を介して枢支連結されている一方、上記後側軸受マスト（３ｒ）から横方向へ張り出す後側鞘管（２７ｒ）の左右両端部には、一対のブレーキペダル（３１）が固着されている。
【００３１】
その結果、そのブレーキペダル（３１）を図１３の矢印（Ａ）方向へ踏み込むことにより、上記鞘管（２７ｆ）（２７ｒ）と芯軸（７ｆ）（７ｒ）を介して、後側キャスター（Ｃ）のステム（４）に内蔵されている回動カム（６）を、図１３から図１４のように一定角度（α）だけ回動させ、上記昇降ロッド（１１）とその下端部の調整ボルト（１４）をリターンバネ（１３）に抗して押し下げれば、制動アーム（２０）がリターンバネ（２５）に抗して回動し、その制動アーム（２０）と共通の支軸（２２）廻りに回動する旋回制動プレート（２１）の先端部が、上記ステム（４）の下端部に付属している第１係合歯車（１０）の歯部（１０ａ）へ係止して、旋回フレーム（１５）を制動することができる。
【００３２】
又、上記制動アーム（２０）の回動によって、これに取り付けられている車輪制動プレート（２３）の先端部が、車輪（１７）の支軸（１８）に固着されている第２係合歯車（１９）の歯部（１９ａ）と係止し、車輪（１７）の回転を制動することもできるのである。
【００３３】
図１４の制動状態から、上記ブレーキペダル（３１）を逆方向へ踏み込めば、図１３のように回動カム（６）も一体回動して、上記昇降ロッド（１１）が上昇復帰し、制動アーム（２０）と旋回制動プレート（２１）も回動復帰することになり、その旋回制動プレート（２１）と第１係合歯車（１０）との係止状態が解除されるほか、上記制動アーム（２０）に付属している車輪制動プレート（２３）と第２係合歯車（１９）との係止状態も解除される結果、その旋回フレーム（１５）の旋回と車輪（１７）の回転が自由になる。
【００３４】
その場合、上記ブレーキペダル（３１）が後側鞘管（２７ｒ）の左右両端部へ固着された一対にとどまるとしても、その後側鞘管（２７ｒ）と前側鞘管（２７ｆ）とは図１〜４のように進退ロッド（３０）を介して枢支連結されているため、その踏み込み操作によって、合計４個のキャスター（Ｃ）を一挙同時に制動又は解除することができ、使用上の利便性と安全性の向上に役立つ。
【００３５】
次に、図１〜３や図７の符号（３２）は上記台車（Ｓ）を形作る両サイドフレーム（１）の後側へ偏倚した中途部から、一体的に垂下された平行な一対のハンガーステーであって、その左右相互間には断面倒立Ｕ字型鋼から成る油圧ジャッキ用支持台（３３）が固定横架されており、その支持台（３３）の中間部に油圧ジャッキ（Ｊ）のベース盤（３４）が据え付け固定されている。
【００３６】
油圧ジャッキ（Ｊ）は先に一言した昇降ラック（Ｒ）のリフト機構（Ｕ）を駆動するものとして、図１５〜２１に抽出して示すようなオイルタンク（３５）やプランジャーポンプ（３６）、油圧シリンダー（３７）、そのシリンダー（３７）のラム（３８）に駆動リンク（３９）を介して枢支連結されたパンタグラフ（４０）、そのパンタグラフ（４０）の上端部に枢着されたトップブラケット（４１）、そのトップブラケット（４１）の水平度を保つ噛合ギヤ（４２）、圧抜き弁（４３）などから成る。
【００３７】
そして、そのポンピングレバー（４４）にシーソーアーム（４５）を介して枢支連結されたポンピングペダル（４６）の足踏み操作により、オイルタンク（３５）から圧油をシリンダー（３７）へ供給すれば、パンタグラフ（４０）が拡張・上昇する一方、圧抜き弁（４３）をこれから後方へ延長された圧抜き操作レバー（４７）により開放して、油圧シリンダー（３７）からオイルタンク（３５）へ圧油を戻せば、同じくパンタグラフ（４０）が収縮・下降するようになっている。
【００３８】
このような油圧ジャッキ（Ｊ）自身は公知であるが、本発明の場合上記油圧ジャッキ用支持台（３３）の後端部からシーソーアーム用支持ブラケット（４８）を一体的に垂立させて、その上端部へシーソーアーム（４５）の中間部を水平な支点ピン（４９）によって枢着すると共に、上記ポンピングペダル（４６）がシーソーアーム（４５）とほぼＶ字型の屈折リンクアーム（５０）により連結される前端部を、上記台車（Ｓ）における後側軸受マスト（３ｒ）同志の左右相互間に横架する水平な後側鞘管（２７ｒ）へ差し込み套嵌して、その鞘管（２７ｒ）の水平な支点廻りに踏み込み操作できるように定めている。
【００３９】
（５１ｆ）（５１ｒ）は上記台車（Ｓ）における両サイドフレーム（１）の上面へ取り付け固定された前後一対づつ合計４個の軸受ステーであり、その前側軸受ステー（５１ｆ）同志の左右相互間と後側軸受ステー（５１ｒ）同志の左右相互間には、図７のような比較的長い回動軸（５２ｆ）（５２ｒ）の前後一対が各々貫通横架されている。
【００４０】
（５３ｆ）（５３ｒ）はその前側回動軸（５２ｆ）と後側回動軸（５２ｒ）との対応する中途部から、各々斜め下向き一体的に張り出された平行な一対のリンクピースであり、その両リンクピース（５３ｆ）（５３ｒ）が前後方向への進退ロッド（５４）を介して枢支連結されている。
【００４１】
又、同じく前側回動軸（５２ｆ）と後側回動軸（５２ｒ）との対応的な中途部からは、左右一対づつの平行な回動リフトアーム（５５ｆ）（５５ｒ）が各々斜め上向き一体的に張り出されており、しかもその後側回動リフトアーム（５５ｒ）の中途高さ位置だけにはベアリング受け軸（５６）が固定横架されている。（５７）はその水平なベアリング受け軸（５６）の中間部へ遊転自在に嵌め付けられたベアリングであって、上記油圧ジャッキ（Ｊ）のトップブラケット（４１）によって受け止められるようになっている。
【００４２】
他方、先に一言した昇降ラック（Ｒ）は左右一対のサイドフレーム（５８）とその上面に固着された複数のクロスフレーム（５９）とから、前後方向へ延在する平面視のほぼ長方形（例えば約1,６６０mm×約５６７mmの大きさ）に枠組み一体化されている。その両サイドフレーム（５８）は角鋼管から成るが、クロスフレーム（５９）は断面倒立Ｕ字型鋼から成る。
【００４３】
（６０ｆ）（６０ｒ）は上記昇降ラック（Ｒ）における両サイドフレーム（５８）の下面へ取り付け固定された前後一対づつ合計４個の軸受ステーであって、その前側軸受ステー（６０ｆ）と後側軸受ステー（６０ｒ）には図７のような比較的短かい枢軸（６１ｆ）（６１ｒ）の左右一対が各々差し込み固定されており、これによって上記前側回動リフトアーム（５５ｆ）の上端部と後側回動リフトアーム（５５ｒ）の上端部が、各々回動自在に支持されている。
【００４４】
昇降ラック（Ｒ）のリフト機構（Ｕ）はこのような平行リンク運動機構として形作られているため、油圧ジャッキ（Ｊ）を駆動源として、その油圧ジャッキ（Ｊ）のパンタグラフ（４０）を拡張・上昇させれば、そのトップブラケット（４１）と後側回動リフトアーム（５５ｒ）に付属しているベアリング（５７）との係合作用を介して、昇降ラック（Ｒ）が水平状態のまま上昇されることになり、又油圧ジャッキ（Ｊ）のパンタグラフ（４０）を収縮・下降させれば、同じく昇降ラック（Ｒ）も追従的に下降する結果となる。但し、上記リフト機構（Ｕ）の駆動源としては油圧ジャッキ（Ｊ）のみならず、ねじジャッキやラックジャッキなどを採用しても良い。
【００４５】
更に、前後一対の患者支持デッキ（ＦＤ）（ＲＤ）について言えば、その患者の下半身に対応する前側支持デッキ（ＦＤ）は水平の固定設置状態にあり、これに反して患者の上半身に対応する後側支持デッキ（ＲＤ）は、その前側支持デッキ（ＦＤ）との全体的な水平のベッド状態になるほか、これを後述の気圧シリンダーによって、リクライニングさせることもできるようになっている。
【００４６】
即ち、前側支持デッキ（ＦＤ）は前後方向へ細長く延在する平面視のほぼコ字状（例えば約1,０４０mm×約５７０mmの大きさ）に屈曲形成された縁取りフレーム（６２）（６３）の上下一対と、その相互間に垂立する複数のスペーサー（６４）とから、一定のスライドトレー用格納間隔（ｄ）（例えば約９５mm）を保つ平台型に枠組み一体化されている。その縁取りフレーム（６２）（６３）とスペーサー（６４）は何れも角鋼管から成る。
【００４７】
そして、このような前側支持デッキ（ＦＤ）を形作る下側縁取りフレーム（６３）の下面は、上記昇降ラック（Ｒ）におけるクロスフレーム（５９）の上面と固着一体化されている。（６５）はその下側縁取りフレーム（６３）の中途部に固定横架された断面倒立Ｕ字型鋼の水平なクロスフレームであり、その中間位置には気圧シリンダー用軸受ステー（６６）が後向きの張り出し状態に取り付け固定されている。（６７）は同じく下側縁取りフレーム（６３）の前端部に沿って固着されたゴム製のクッションカバーであり、上側縁取りフレーム（６２）の前端部よりも前方へ張り出して、他物との衝突を緩衝する。
【００４８】
又、（６８）は上記角鋼管から成る上側縁取りフレーム（６２）の内側面に固着された左右一対の平行なスライドガイドレールであって、一定長さ（Ｌ１）（例えば約９４０mm）の向かい合う断面コ字型鋼から成り、その内部にカセットホルダー用スライドトレー（Ｔ）の後述する走行ローラーが係合しつつ、前後方向へ移動することになる。
【００４９】
その場合、上側縁取りフレーム（６２）と両スライドガイドレール（６８）とは図６のように、その下面同志のフラットな面一状態に整合しており、これに沿ってマグネット用吸着プレート（鉄板）（６９）の左右一対が固着一体化されている。そのため、マグネット用吸着プレート（６９）は上側縁取りフレーム（６２）とスライドガイドレール（６８）の補強も兼ねることになる。
【００５０】
（７０）は同じく上側縁取りフレーム（６２）の上面へ複数の皿ビス（７１）によって、上記前側支持デッキ（ＦＤ）の枠内を施蓋する状態に取り付け固定されたベッドであり、Ｘ線を透過し得る一定な厚み（例えば約１０mm）のアクリル樹脂板から成る。
【００５１】
しかも、そのベッド（７０）をなすアクリル樹脂板の後端部は図２３、２４のように、一定角度（β）（例えば約２０〜３０度）の後上がり傾斜面としてカットされており、その傾斜カット面にはポリエステル繊維などの弾性膜（７２）が貼り付け被覆されている。
【００５２】
（７３ｆ）（７３ｒ）は上側縁取りフレーム（６２）の外側面に取り付け固定された前後一対づつ合計４個の手摺り受けブラケット、（７４）は左右一対の手摺り枠（患者防護柵）であり、その基端部に延在する差込み枢軸（７５）が、上記受けブラケット（７３ｆ）（７３ｒ）の前後相互間へ各々差し込まれている。
【００５３】
その場合、図２５に抽出して示す如く、何れか一方の受けブラケット（７３ｒ）内には他方への押圧バネ（圧縮コイルバネ）（７６）が封入されており、残る他方の受けブラケット（７３ｆ）には約９０度だけ交叉する２個のピン受け止め切欠（７７ａ）（７７ｂ）が付与されていると共に、上記手摺り枠（７４）の差込み枢軸（７５）には１個のストッパーピン（７８）が突設されている。
【００５４】
そのため、手摺り枠（７４）を回動操作して、そのストッパーピン（７８）を対応する受けブラケット（７３ｆ）のピン受け止め切欠（７７ａ）（７７ｂ）へ、択一的に係止させることにより、その手摺り枠（７４）を上記ベッド（７０）からの起立状態と伏倒状態に切り換え固定維持することができる。
【００５５】
他方、後側支持デッキ（ＲＤ）は上記前側支持デッキ（ＦＤ）と向かい合う平面視のほぼコ字状（例えば約８０５mm×約５７０mmの大きさ）に屈曲形成された縁取りフレーム（７９）（８０）の上下一対と、その相互間に垂立する複数のスペーサー（８１）とから、やはり同じ一定のスライドトレー用格納間隔（ｄ）を保つ平台型に枠組み一体化されており、その両患者支持デッキ（ＦＤ）（ＲＤ）の枠内同志が合致連通する。茲に、後側支持デッキ（ＲＤ）の縁取りフレーム（７９）（８０）とスペーサー（８１）も、前側支持デッキ（ＦＤ）のそれらと同じ角鋼管から成る。
【００５６】
但し、このような後側支持デッキ（ＲＤ）は上記前側支持デッキ（ＦＤ）と異なって、昇降ラック（Ｒ）のクロスフレーム（５９）と固着一体化されておらず、その昇降ラック（Ｒ）から図３のような浮上できる状態に保たれている。
【００５７】
（８２）は後側支持デッキ（ＲＤ）を形作る下側縁取りフレーム（８０）の前端部に固定横架された断面倒立Ｕ字型鋼の水平なクロスフレームであり、その中間位置にも気圧シリンダー用軸受ステー（８３）が、上記前側支持デッキ（ＦＤ）に付属のそれと向かい合う対応関係として、前向きの張り出し状態に取り付け固定されている。
【００５８】
（８４）は上記下側縁取りフレーム（８０）における後端部の中間位置へ、その下方から取り付け固定されたワイヤー挿通ガイドであり、これには気圧シリンダー用遠隔作動レバー（８５）が水平な支点ピン（８６）を介して、回動操作自在に枢着されている。（８７）はその支点ピン（８６）に巻き付けられた遠隔作動レバー（８５）のリターンバネ（蔓巻きバネ）である。
【００５９】
又、同じく下側縁取りフレーム（８０）における後端部の中間位置からは、スライドトレー（Ｔ）の吊り下げフック用支持フォーク（８８）が一体的に垂立されており、その支持フォーク（８８）には水平な支点ピン（８９）を介して、コンストンバネ用吊り下げフック（９０）のボス（９１）が回動自在に枢着されている。
【００６０】
（９２）はその吊り下げフック（９０）の回動操作レバーであって、上記ボス（９１）から外向き一体的に張り出されており、そのボス（９１）から内向き一体的に張り出す吊り下げフック（９０）と一定角度だけ交叉している。（９３）は上記支点ピン（８９）に巻き付けられた吊り下げフック用リターンバネ（蔓巻きバネ）であり、その吊り下げフック（９０）を後述するコンストンバネの吊り環と係止し得る内向きに回動付勢している。
【００６１】
（９４）は下側縁取りフレーム（８０）の後端部に沿って固着されたゴム製のクッションカバーであり、上側縁取りフレーム（７９）の後端部よりも後方へ張り出して、やはり他物との衝突を緩衝することに役立つ。
【００６２】
更に、（９５）は後側支持デッキ（ＲＤ）を形作る上側縁取りフレーム（７９）の内側面に固着された左右一対の平行なスライドガイドレールであって、一定長さ（Ｌ２）（例えば約７１５mm）の向かい合う断面コ字型鋼から成り、前後一対の患者支持デッキ（ＦＤ）（ＲＤ）が図６のような全体の水平ベッド状態に保たれた時、その後側支持デッキ（ＲＤ）のスライドガイドレール（９５）は前側支持デッキ（ＦＤ）の上記スライドガイドレール（６８）と対応合致して、カセットホルダー用スライドトレー（Ｔ）をその全体長さ分だけ前後方向へ移動させることができるようになっている。
【００６３】
その際、後側支持デッキ（ＲＤ）の上側縁取りフレーム（７９）とスライドガイドレール（９５）も、図６、２２のような下面同志のフラットな面一状態にあり、これに沿ってやはりマグネット用吸着プレート（鉄板）（９６）の左右一対が固着一体化されている。
【００６４】
（９７）は同じく後側支持デッキ（ＲＤ）における上側縁取りフレーム（７９）の上面へ、やはり点在分布する複数の皿ビス（９８）によって、その後側支持デッキ（ＲＤ）の枠内を施蓋する状態に取り付け固定されたバックレストであるが、これも上記ベッド（７０）と同じ一定厚みのアクリル樹脂板から成る。
【００６５】
しかも、そのバックレスト（９７）をなすアクリル樹脂板の前端部は、上記ベッド（７０）となるアクリル樹脂板の後端部と同じ一定角度（β）の平行状態にカットされており、その傾斜カット面にも図２３、２４のようなポリエステル繊維などの弾性膜（９９）が貼り付け被覆されている。
【００６６】
つまり、前側支持デッキ（ＦＤ）のベッド（７０）と後側支持デッキ（ＲＤ）のバックレスト（９７）とを、その継ぎ目での一定な傾斜角度（β）にカットすると共に、その相互間へ互いに密着し得る弾性膜（７２）（９９）を介挿設置することにより、前後一対の患者支持デッキ（ＦＤ）（ＲＤ）を図１、６のような全体の水平状態として、ここに寝た姿勢の患者をＸ線撮影する際、その継ぎ目の通気性に起因する陰影がＸ線像に発生することを防ぐ趣旨である。
【００６７】
尚、後側支持デッキ（ＲＤ）の上側縁取りフレーム（７９）にも手摺り受けブラケット（７３ｆ）（７３ｒ）を介して、起伏的な回動操作自在の手摺り枠（７４）が取り付けられているが、その構成と操作法は上記前側支持デッキ（ＦＤ）のそれと変らないため、同じ符号を図示するにとどめる。
【００６８】
そして、このような構成を備えた後側支持デッキ（ＲＤ）は、上記昇降ラック（Ｒ）との固定状態にある前側支持デッキ（ＦＤ）に対して、その継ぎ目から起伏的な回動操作を行なえるように枢着されている。（１００）は前側支持デッキ（ＦＤ）を形作る上側縁取りフレーム（６２）の後端部へ、その外側から固着一体化された左右一対のサイド補強座金であり、これには後方へ張り出す連結プレート（１０１）の左右一対が各々固定ボルト（１０２）によって取り付けられている。
【００６９】
他方、（１０３）は後側支持デッキ（ＲＤ）を形作る上側縁取りフレーム（７９）の前端部へ、やはり外側から固着一体化された左右一対のサイド補強座金であって、その後側支持デッキ（ＲＤ）のサイド補強座金（１０３）と前側支持デッキ（ＦＤ）における上記連結プレート（１０１）の後端部とが、図２２のように、各々水平な支点ピン（１０４）の左右一対を介して回動自在に枢着されている。（１０５）はその支点ピン（１０４）の回動軸受ブッシュである。
【００７０】
上記前側支持デッキ（ＦＤ）に対して後側支持デッキ（ＲＤ）をリクライニングさせる気圧シリンダー（好ましくはガスシリンダー）（１０６）は、ストレッチャーの走行中心線上に沿って延在しており、図２６〜２８から明白なように、その支持フォーク（１０７）が後側支持デッキ（ＲＤ）のクロスフレーム（８２）に付属している上記軸受ステー（８３）へ、水平な支点ピン（１０８）を介して枢着されている。
【００７１】
（１０９）は上記気圧シリンダー（１０６）のピストンロッドであり、その支持フォーク（１１０）が前側支持デッキ（ＦＤ）のクロスフレーム（６５）に付属している上記軸受ステー（６６）へ、やはり水平な支点ピン（１１１）によって枢着されている。
【００７２】
（１１２）は上記ピストンロッド（１０９）へ進退自在に挿通された圧力解放ピンであり、これがピストンロッド（１０９）から前方へ常時露出する先端部を、押圧アーム（１１３）によって押し込み没入させれば、上記気圧シリンダー（１０６）内の突っ張り圧力が解放され、その気圧シリンダー（１０６）に対してピストンロッド（１０９）が後退作動するようになっている。
【００７３】
上記押圧アーム（１１３）はピストンロッド（１０９）とほぼ直交する起立状態にあり、その上端部が水平な支点ピン（１１４）によって、上記ピストンロッド（１０９）の支持フォーク（１１０）へ回動自在に枢着されている。（１１５）は上記後側支持デッキ（ＲＤ）の後端部に付属している遠隔作動レバー（８５）の回動操作を受けて、後方へ引っ張られることになるレリーズワイヤー（プッシュプルケーブル）であり、その前端部が上記押圧アーム（１１３）の下端部へ脱落不能に係止されている。
【００７４】
そのため、上記遠隔作動レバー（８５）を図２７のようにリターンバネ（８７）に抗して回動操作し、上記押圧アーム（１１３）をその支点ピン（１１４）の廻りに後方へ引っ張って、気圧シリンダー（１０６）の圧力解放ピン（１１２）をピストンロッド（１０９）へ押し込み没入させれば、上記後側支持デッキ（ＲＤ）を図３のように前方へ起し上げることができ、その回動操作手を離せば、その起立状態が固定維持されることになり、後側支持デッキ（ＲＤ）をバックレストとして、患者を凭れた姿勢に保てるのである。
【００７５】
これと同様な遠隔作動レバー（８５）の回動操作により、上記後側支持デッキ（ＲＤ）を図３の起立状態から後方へ引き倒すこともでき、その操作手を離せば、図１のような後側支持デッキ（ＲＤ）の伏倒状態が固定維持されることになり、その前側支持デッキ（ＦＤ）との全体的な水平ベッド状態として、患者を寝かせた姿勢に保つことができる。
【００７６】
その場合、上記後側支持デッキ（ＲＤ）が前側支持デッキ（ＦＤ）の連結プレート（１０１）と枢着された支点ピン（１０４）を中心とする起伏的な回動角度範囲（γ）については、気圧シリンダー（１０６）におけるピストンロッド（１０９）の進退ストロークにより、予じめ約９０度に設定されているが、このような回動角度範囲（γ）の途中において操作手を離しても、図２８の状態から示唆されるように、上記後側支持デッキ（ＲＤ）はその気圧シリンダー（１０６）の突っ張り圧力により固定維持される結果、その希望角度のリクライニングベッドとして使用することも可能である。
【００７７】
尚、図２６〜２８の符号（１１６）は上記レリーズワイヤー（１１５）を受け入れるワイヤー保持ガイドであり、ピストンロッド（１０９）の支持フォーク（１１０）へ固定ナット（１１７）によって挟み付け一体化されている。（１１８）は上記ピストンロッド（１０９）に嵌め付けられたクッションリングであり、そのピストンロッド（１０９）の後退作動時における気圧シリンダー（１０６）の衝撃や振動を吸収する。
【００７８】
次に、カセットホルダー（Ｈ）のスライドトレー（Ｔ）を説明すると、これは図２９〜３２に抽出して示す如く、上記患者支持デッキ（ＦＤ）（ＲＤ）の枠内に納まる大きさを備えた平面視の長方形又は正方形として、左右一対の平行なサイドフレーム（１１９）とその両サイドフレーム（１１９）の中間部に横架する前後一対の平行なカセットホルダー用スライドガイドレール（１２０）（１２１）とから枠組み一体化されている。
【００７９】
しかも、その両サイドフレーム（１１９）の上端部には前後一対づつ合計４個の走行ローラー（１２２ｆ）（１２２ｒ）が水平な支軸（１２３）を介して、各々遊転自在に枢着されているほか、同じく前後一対づつ合計４個の左右振れ止めローラー（１２４ｆ）（１２４ｒ）が水平な支持プレート（１２５）と垂直な支点ピン（１２６）を介して、各々遊転自在に枢着されてもいる。
【００８０】
その各支持プレート（１２５）の基端部は上記サイドフレーム（１１９）から内向き一体的に張り出す軸受台（１２７）へ、固定ボルト（１２８）によって取り付けられており、そのサイドフレーム（１１９）の切欠き窓（１２９）を通じて導出された先端部に、上記左右振れ止めローラー（１２４ｆ）（１２４ｒ）が各々垂直な支点ピン（１２６）によって枢着されているのである。
【００８１】
このような走行ローラー（１２２ｆ）（１２２ｒ）と左右振れ止めローラー（１２４ｆ）（１２４ｒ）は、何れも上記患者支持デッキ（ＦＤ）（ＲＤ）の上側縁取りフレーム（６２）（７９）に付属しているスライドガイドレール（６８）（９５）と係合されることになる。（１３０）は同じく両サイドフレーム（１１９）の下端部から外向き一体的に張り出された左右一対の水平な把手（握り棒）であり、これによってスライドトレー（Ｔ）を上記患者支持デッキ（ＦＤ）（ＲＤ）の前後方向へ移動操作することができる。
【００８２】
その場合、左右一対のサイドフレーム（１１９）が対称な形態として、向かい合う広大な開口幅の断面コ字型鋼から成るに比し、前後一対のカセットホルダー用スライドガイドレール（１２０）（１２１）は向かい合う狭小な開口幅の断面コ字型鋼から段違いに配列されており、しかもその下片部だけがほぼ倒立Ｌ字状の折曲げ延長片（１２０ａ）（１２１ａ）として、内向き連続的に折り曲げ延長された非対称な形態をなしている。
【００８３】
そして、その後側スライドガイドレール（１２１）の折曲げ延長片（１２１ａ）には左右一対のドラム受けブラケット（１３１）が取り付け固定されている。（１３２）はその各ドラム受けブラケット（１３１）へ水平な支点ピン（１３３）を介して枢着された回動ドラムであり、これには所謂ゼンマイ型のコンストンバネ（定荷重バネ）（１３４）が巻き付けられている。
【００８４】
茲に、コンストンバネ（１３４）は薄肉なステンレス鋼板から成り、先端部から引き出すも、その巻き戻り力がストロークに拘らず常時一定であるため、希望の位置に自づと停止させることができる。その引き出し先端部には副板（１３５）が付属一体化されている。（１３６）は上記コンストンバネ（１３４）の左右一対を一体化する水平な金属杆の連結アームであり、その切り離し両端部に付属の副板（１３７）が固定ボルト（１３８）を介して、両コンストンバネ（１３４）の副板（１３５）に取り付けられている。
【００８５】
又、（１３９）は同じく連結アーム（１３６）の中間部から外向き一体的に張り出された吊り環であり、上記後側支持デッキ（ＲＤ）を前側支持デッキ（ＦＤ）からリクライニングさせ、そのバックレスト（９７）に凭れた姿勢の患者をＸ線撮影する際、その後側支持デッキ（ＲＤ）に付属している上記コンストンバネ用吊り下げフック（９０）と係脱自在に係止使用されることとなる。
【００８６】
（１４０）は両サイドフレーム（１１９）と後側スライドガイドレール（１２１）とのコーナー部に固着一体化された左右一対のマグネット収納ボックスであり、その各ボックス（１４０）に収納されたマグネット（１４１）の露出面が、摘まみハンドル（握り玉）（１４２）の回動操作を受けて、上記患者支持デッキ（ＦＤ）（ＲＤ）の上側縁取りフレーム（６２）（７９）に付属しているマグネット用吸着プレート（６９）（９６）へ、その下方から磁力により吸着して、スライドトレー（Ｔ）を位置決め停止状態に保つこととなる。
【００８７】
尚、上記摘まみハンドル（１４２）を逆向きに回動操作して、その吸着力を解くことにより、スライドトレー（Ｔ）を患者支持デッキ（ＦＤ）（ＲＤ）の前後方向へ自由に移動させることができることは、言うまでもない。
【００８８】
更に、カセットホルダー（Ｈ）について言えば、これは患者のＸ線撮影用フィルムカセット（Ｍ）を保持するものであり、上記スライドトレー（Ｔ）に付属している平行なカセットホルダー用スライドガイドレール（１２０）（１２１）の向かい合う前後相互間へ、その横外方から抜き差し自在に差し込み装填使用できる大きさ・輪郭形状の所謂カートリッジとして、次のように作成準備されている。
【００８９】
即ち、そのカセットホルダー（Ｈ）を抽出して示した図３３〜３６において、（１４３）は上記スライドトレー（Ｔ）よりも小さな平面視の相似形状に造形された金属製のフィルムカセット受け面板であり、その前辺がスライドトレー（Ｔ）の前側スライドガイドレール（１２０）内に嵌まり合う前側スライドフック（１４４）として、上向き連続的に折り曲げられている一方、同じくカセット受け面板（１４３）の後辺は上記スライドトレー（Ｔ）の後側スライドガイドレール（１２１）内に嵌まり合う後側スライドフック（１４５）として、逆な下向き連続的に折り曲げられることにより、その前後一対のカセットホルダー用スライドガイドレール（１２０）（１２１）と対応する段違いの配列状態にある。
【００９０】
（１４６）は上記カセット受け面板（１４３）の上向きに垂立する両側辺から、横外方へ一体的に張り出された左右一対の水平な把手であり、これを握り持って、上記スライドトレー（Ｔ）の両スライドガイドレール（１２０）（１２１）に沿うカセットホルダー（Ｈ）の抜き差し操作を行なえるようになっている。
【００９１】
（１４７）は同じくカセット受け面板（１４３）のほぼ中央部へ、左右一対づつの組として開口分布された複数（図例では合計６個）のピン受け入れキー孔であり、これらへ抜き差し自在に差し替えられる係止ピン（１４８）の左右１組によって、Ｘ線撮影用フィルムカセット（Ｍ）の前面受け持ち金具（１４９）が上記カセット受け面板（１４３）の上面に設置されることとなる。
【００９２】
又、（１５０）は上記カセット受け面板（１４３）のほぼ中央部に開口延在された左右一対のスライドガイド長孔であり、その各スライドガイド長孔（１５０）内にはスライドピース（１５１）が嵌め込まれている。（１５２）は上記フィルムカセット（Ｍ）を挟む左右一対のサイド挟持金具であり、その何れも対応的なスライドピース（１５１）を貫通するネジ軸（１５３）によって、上記カセット受け面板（１４３）の上面に並列設置されている。（１５４）はそのカセット受け面板（１４３）の下面から上記スライドピース（１５１）へ各々重合されたネジ軸用座金である。
【００９３】
そのため、上記フィルムカセット（Ｍ）の両サイド挟持金具（１５２）はスライドピース（１５１）を介して、スライドガイド長孔（１５０）に沿い左右横方向へスライドするが、上記カセット受け面板（１４３）から下向きに突出するネジ軸（１５３）の先端部には、両サイド挟持金具用ロックレバー（１５５）のボス（１５６）が各々螺合締結されており、そのロックレバー（１５５）を締め上げ回動操作することによって、上記スライドピース（１５１）を挟み付け固定することもできるようになっている。
【００９４】
しかも、上記フィルムカセット（Ｍ）の両サイド挟持金具（１５２）は一挙同時に接近方向又は離反方向へスライドし得るようになっている。（１５７）はそのための屈折リンクアームであって、ほぼＺ字型をなし、その中心部が上記カセット受け面板（１４３）の下面へ垂直な支点ピン（１５８）を介して、回動自在に枢着されてい一方、同じく屈折リンクアーム（１５７）の両端部は上記スライドピース（１５１）の左右一対へ、各々連結ピン（１５９）によって枢着されている。
【００９５】
そのため、左右一対の上記ロックレバー（１５５）をネジ軸（１５３）からの弛緩方向へ回動操作し、そのスライドピース（１５１）の挟み付け固定力を解除した状態において、両サイド挟持金具（１５２）の何れか一方を横外方から押し込み又は引き出し操作すれば、残る他方も一挙同時にスライドして、互いに接近又は離反する結果となる。
【００９６】
つまり、上記カセット受け面板（１４３）のピン受け入れキー孔（１４７）に対する係止ピン（１４８）の差し替えにより、前後方向への進退調整可能な前面受け持ち金具（１４９）とも相俟って、上記Ｘ線撮影用フィルムカセット（Ｍ）をそのカセット受け面板（１４３）の中央部へ、自づと正確に位置決めされた状態として安定良く固定保持することができるのであり、そのフィルムカセット（Ｍ）の大きさ変化に対する対応性と使用上の利便性に優れる。
【００９７】
本発明のストレッチャーは上記構成を具備しているため、前後一対の患者支持デッキ（ＦＤ）（ＲＤ）を全体的な水平のベッド状態に保って、救急患者の担送を行なえることは勿論、その際両患者支持デッキ（ＦＤ）（ＲＤ）は油圧ジャッキ（Ｊ）を駆動源とするリフト機構（Ｕ）によって、図１と図２との対比から明白なように、その地上高さの昇降調整自在であるため、例えば下降位置での安楽に運び載せた患者を、その後の上昇操作により病院の既製ベッドへ、円滑に便利良く移載させることもできる。
【００９８】
又、両患者支持デッキ（ＦＤ）（ＲＤ）の上側縁取りフレーム（６２）（７９）には左右一対の平行なスライドガイドレール（６８）（９５）が列設されており、これに沿って前後方向へ移動し得るフィルムカセット用スライドトレー（Ｔ）の枠内には、Ｘ線撮影用フィルムカセット（Ｍ）のホルダー（Ｈ）が横方向から抜き差し自在に差し込み装填使用されるようになっているため、図１、６のような両患者支持デッキ（ＦＤ）（ＲＤ）の水平ベッド状態において、これに寝た姿勢の患者をＸ線撮影することができる。
【００９９】
その場合には、上記スライドトレー（Ｔ）の吊り環（１３９）を後側支持デッキ（ＲＤ）に付属のコンストンバネ用吊り下げフック（９０）から取りはずしておくことにより、そのスライドトレー（Ｔ）を両患者支持デッキ（ＦＤ）（ＲＤ）の前後方向へ長いストロークのもとに移動操作することができ、しかもマグネット（１４１）の摘まみハンドル操作によって、そのスライドトレー（Ｔ）を希望の停止位置へ吸着固定することもできるようになっているため、上記患者の目的部位を自由自在に正しくＸ線撮影し得るのである。
【０１００】
更に、後側支持デッキ（ＲＤ）を前側支持デッキ（ＦＤ）との全体的な水平ベッド状態から図３のように、その連結プレート（１０１）の水平な支点ピン（１０４）を中心としてリクライニングさせることもでき、その後側支持デッキ（ＲＤ）をバックレストとして立て起した場合には、図３や図３７〜４０から明白なように、上記スライドトレー（Ｔ）の吊り環（１３９）を後側支持デッキ（ＲＤ）のコンストンバネ用吊り下げフック（９０）に係止させ、そのコンストンバネ（１３４）の引き下げによりスライドトレー（Ｔ）が自動停止した希望の設置高さにおいて、上記後側支持デッキ（ＲＤ）に凭れた姿勢の患者を、やはり正確に便利良くＸ線撮影することも可能であり、肺や膝などに水が溜まった患者のＸ線撮影に役立つ。
【０１０１】
その場合、上記吊り環（１３９）と吊り下げフック（９０）との係止状態が万一解除されて、スライドトレー（Ｔ）が落下することを予防するために、上記後側支持デッキ（ＲＤ）における下側縁取りフレーム（８０）の前端部（下端部）付近へ、図４１、４２のような回動ハンドル軸（１６０）を水平に貫通横架させ、その両端部に付属する左右一対のハンドル（１６１）によって回動操作されるハンドル軸（１６０）の中途部から、スライドトレー（Ｔ）の受け止め可能な左右一対のピン（１６２）を一体的に突設することが好ましい。
【０１０２】
（１６３）は上記後側支持デッキ（ＲＤ）の下側縁取りフレーム（８０）と、その回動ハンドル軸（１６０）との相互間に連繋掛架された操作ハンドル用のリターンバネ（引張りコイルバネ）、（１６４）は上記ピン（１６２）と係止するストッパーであり、後側支持デッキ（ＲＤ）の下側縁取りフレーム（８０）から内向き一体的に張り出されている。
【０１０３】
尚、両患者支持デッキ（ＦＤ）（ＲＤ）の全体的な水平ベッド状態において、上記スライドトレー（Ｔ）を前後方向へ移動させる際には、その回動ハンドル軸（１６０）のハンドル（１６１）がリターンバネ（１６３）に抗して回動操作され、上記ピン（１６２）がスライドトレー（Ｔ）と干渉しないように退避されることは、言うまでもない。
【０１０４】
上記した何れの姿勢において患者をＸ線撮影する場合でも、台車（Ｓ）に付属する合計４個のキャスター（Ｃ）をそのブレーキ機構（Ｂ）により、一挙同時に制動することができるため、その安定・確固な停止状態のもとに患者のＸ線撮影を行なえるのであり、使用上の安全性と利便性にも優れる。
【０１０５】
その利便性を向上するために、図１〜３のような酸素ボンベの起立収納篭（１６５）を上記昇降ラック（Ｒ）の後端部へ、垂直な支点ピン（１６６）によって旋回自在に枢着したり、又上記前側支持デッキ（ＦＤ）の後端部へ点滴用灌注器の吊り掛け支柱受け入れ口筒（１６７）を、その左右一対として固着したりすることが望ましい。
【図面の簡単な説明】
【０１０６】
【図１】本発明に係るストレッチャーの全体的な水平ベッド状態を示す側面図である。
【図２】図１から下降させた状態を示す側面図である。
【図３】図１から後側支持デッキを立て起したリクライニング状態を示す側面図である。
【図４】図１の４−４線断面図である。
【図５】図１の拡大平面図である。
【図６】図５の６−６線断面図である。
【図７】図１の一部を破断して示す正面図である。
【図８】ベッドとバックレストとの継ぎ目を抽出して示す拡大断面図である。
【図９】後側軸受マストのキャスターを抽出して示す部分拡大正面図である。
【図１０】そのキャスターの底面図である。
【図１１】制動アームを抽出して示す斜面図である。
【図１２】車輪制動プレートを抽出して示す平面図である。
【図１３】キャスターのフリー状態を示す図９の１３−１３線断面図である。
【図１４】図１３からの制動状態を示す断面図である。
【図１５】昇降ラックのリフト機構を抽出して示す図１の部分拡大側面図である。
【図１６】図１５の平面図である。
【図１７】図１５から昇降ラックを下降させた状態の拡大側面図である。
【図１８】リフト機構の油圧ジャッキを抽出して示す正面図である。
【図１９】図１８のパンタグラフを収縮・下降させた状態を示す正面図である。
【図２０】図１９の平面図である。
【図２１】図１９の背面図である。
【図２２】図５の２２−２２線に沿う拡大断面図である。
【図２３】ベッドとバックレストを抽出して示す平面図である。
【図２４】図２３の継ぎ目を抽出して示す拡大断面図である。
【図２５】手摺り枠を抽出して示す拡大側面図である。
【図２６】気圧シリンダーを抽出して示す底面図である。
【図２７】気圧シリンダーの圧力解放状態を示す作用説明図である。
【図２８】気圧シリンダーの突っ張り状態を示す作用説明図である。
【図２９】カセットホルダー用スライドトレーを抽出して示す平面図である。
【図３０】図２９の側面図である。
【図３１】図２９の３１−３１線断面図である。
【図３２】図２９の３２−３２線断面図である。
【図３３】Ｘ線撮影用フィルムカセットホルダーを抽出して示す平面図である。
【図３４】図３３の底面図である。
【図３５】図３３の３５−３５線断面図である。
【図３６】図３３の３６−３６線断面図である。
【図３７】図３の後側支持デッキを抽出して示す部分拡大正面図である。
【図３８】図３７からスライドトレーを引き下げた状態を示す正面図である。
【図３９】図３７の３９−３９線断面図である。
【図４０】図３７の４０−４０線断面図である。
【図４１】スライドトレーの受け止めストッパーを示す図３７に対応する正面図である。
【図４２】図４１の４２−４２線に沿う拡大断面図である。
【符号の説明】
【０１０７】
（１）・サイドフレーム
（２）・クロスフレーム
（３ｆ）（３ｒ）・軸受マスト
（２０）・制動アーム
（２１）・旋回制動プレート
（２３）・車輪制動プレート
（３１）・ブレーキペダル
（３３）・油圧ジャッキ用支持台
（３７）・油圧シリンダー
（３９）・駆動リンク
（４０）・パンタグラフ
（４１）・トップブラケット
（４５）・シーソーアーム
（４６）・ポンピングペダル
（４７）・圧抜き操作レバー
（５１ｆ）（５１ｒ）・軸受ステー
（５２ｆ）（５２ｒ）・回動軸
（５３ｆ）（５３ｒ）・リンクピース
（５４）・進退ロッド
（５５ｆ）（５５ｒ）・回動リフトアーム
（５６）・ベアリング受け軸
（５７）・ベアリング
（５８）・サイドフレーム
（５９）・クロスフレーム
（６０ｆ）（６０ｒ）・軸受ステー
（６１ｆ）（６１ｒ）・枢軸
（６２）（６３）・縁取りフレーム
（６４）・スペーサー
（６５）・クロスフレーム
（６６）・気圧シリンダー用軸受ステー
（６７）・クッションカバー
（６８）・スライドガイドレール
（６９）・マグネット用吸着プレート
（７０）・ベッド
（７１）・皿ビス
（７２）・弾性膜
（７４）・手摺り枠（防護柵）
（７９）（８０）・縁取りフレーム
（８１）・スペーサー
（８２）・クロスフレーム
（８３）・気圧シリンダー用軸受ステー
（８５）・気圧シリンダー用遠隔作動レバー
（８６）・支点ピン
（８７）・リターンバネ
（８８）・支持フォーク
（８９）・支点ピン
（９０）・コンストンバネ用吊り下げフック
（９２）・回動操作レバー
（９３）・リターンバネ
（９４）・クッションカバー
（９５）・スライドガイドレール
（９６）・マグネット用吸着プレート
（９７）・バックレスト
（９８）・皿ビス
（９９）・弾性膜
（１００）（１０３）・サイド補強座金
（１０１）・連結プレート
（１０２）・固定ボルト
（１０４）・支点ピン
（１０５）・回動軸受ブッシュ
（１０６）・気圧シリンダー
（１０８）・支点ピン
（１０９）・ピストンロッド
（１１１）・支点ピン
（１１２）・圧力解放ピン
（１１３）・押圧アーム
（１１５）・レリーズワイヤー
（１１９）・サイドフレーム
（１２０）（１２１）・スライドガイドレール
（１２０ａ）（１２１ａ）・折曲げ延長片
（１２２ｆ）（１２２ｒ）・走行ローラー
（１２３）・支軸
（１２４ｆ）（１２４ｒ）・左右振れ止めローラー
（１２５）・支持プレート
（１２６）・支点ピン
（１２７）・軸受台
（１２９）・切欠き窓
（１３０）・把手
（１３１）・ドラム受けブラケット
（１３２）・回動ドラム
（１３４）・コンストンバネ（定荷重バネ）
（１３９）・吊り環
（１４０）・マグネット収納ボックス
（１４１）・マグネット
（１４２）・摘まみハンドル
（１４３）・フィルムカセット受け面板
（１４４）（１４５）・スライドフック
（１４６）・把手
（１４９）・前面受け持ち金具
（１５２）・サイド挟持金具
（１５５）・ロックレバー
（１５７）・屈折リンクアーム
（１５８）・支点ピン
（１６０）・回動ハンドル軸
（１６１）・操作ハンドル
（Ｈ）・フィルムカセットホルダー
（Ｊ）・油圧ジャッキ
（Ｍ）・フィルムカセット
（Ｓ）・台車
（Ｔ）・スライドトレー
（Ｂ）・ブレーキ機構
（Ｃ）・キャスター
（Ｕ）・リフト機構
（Ｒ）・昇降ラック
（ＦＤ）・前側支持デッキ
（ＲＤ）・後側支持デッキ
【図１】
2005144070.tif 000003
【図２】
2005144070.tif 000004
【図３】
2005144070.tif 000005
【図４】
2005144070.tif 000006
【図５】
2005144070.tif 000007
【図６】
2005144070.tif 000008
【図７】
2005144070.tif 000009
【図８】
2005144070.tif 000010
【図９】
2005144070.tif 000011
【図１０】
2005144070.tif 000012
【図１１】
2005144070.tif 000013
【図１２】
2005144070.tif 000014
【図１３】
2005144070.tif 000015
【図１４】
2005144070.tif 000016
【図１５】
2005144070.tif 000017
【図１６】
2005144070.tif 000018
【図１７】
2005144070.tif 000019
【図１８】
2005144070.tif 000020
【図１９】
2005144070.tif 000021
【図２０】
2005144070.tif 000022
【図２１】
2005144070.tif 000023
【図２２】
2005144070.tif 000024
【図２３】
2005144070.tif 000025
【図２４】
2005144070.tif 000026
【図２５】
2005144070.tif 000027
【図２６】
2005144070.tif 000028
【図２７】
2005144070.tif 000029
【図２８】
2005144070.tif 000030
【図２９】
2005144070.tif 000031
【図３０】
2005144070.tif 000032
【図３１】
2005144070.tif 000033
【図３２】
2005144070.tif 000034
【図３３】
2005144070.tif 000035
【図３４】
2005144070.tif 000036
【図３５】
2005144070.tif 000037
【図３６】
2005144070.tif 000038
【図３７】
2005144070.tif 000039
【図３８】
2005144070.tif 000040
【図３９】
2005144070.tif 000041
【図４０】
2005144070.tif 000042
【図４１】
2005144070.tif 000043
【図４２】
2005144070.tif 000044